(57)【要約】【課題】チューブを地面などの軟性物上に直接配置する場合においても、様々な口径のチューブを確実に固定することができるチューブ固定具を提供すること。【解決手段】地面等の軟性物８上に置かれたホース等のチューブ９を固定するチューブ固定具１であって、前記チューブ固定具１は、把持部２及び２つの端部５，５’を有する保持部３とからなり、前記保持部３の各端部５，５’で前記チューブ９を覆うように、各端部５，５’を前記軟性物８上に挿入し前記チューブ９を固定する。【選択図】図１
0003221997.tif 000002
【実用新案登録請求の範囲】
【請求項１】
地面等の軟性物上に置かれたホース等のチューブを固定するチューブ固定具であって、
前記チューブ固定具は、把持部及び２つの端部を有する保持部とからなり、
前記保持部の各端部で前記チューブを覆うように、各端部を前記軟性物上に挿入し前記チューブを固定することを特徴とするチューブ固定具。
【請求項２】
前記保持部は、各端部から延出した平行な２つの挿入部と、前記各挿入部から延出する２つのアーチ部と、前記各アーチ部が重なり合って形成される突部と、を有することを特徴とする請求項１記載のチューブ固定具。
【請求項３】
前記把持部は前記突部から延出するように形成されることを特徴とする請求項２記載のチューブ固定具。
【請求項４】
前記把持部は環状であることを特徴とする請求項１乃至３記載のチューブ固定具。
【考案の詳細な説明】
【技術分野】
【０００１】  本考案は、農場等で使用するチューブの固定具に関するものである。
【背景技術】
【０００２】  一般的に、農場等で栽培される野菜や花の苗は、定期的に水を与える散水作業が必要になる。散水作業を効率的に行うため、ホースを使用して移動しながら散水を行うのではなく、予め散水孔を複数有する散水ホースを所定の場所に配置しておき、散水ホースに水を給水するのみで自動で散水を行うような散水処理が行われている。【０００３】  この散水ホースは、給水時には断面略円形状態となるが、給水時以外は断面略直線状態の軽量なビニールホースとなるため、強風によりホースが飛ばされ野菜や花の苗に損傷を与えることがあった。【０００４】  このような問題を解決するため、ホースを所定位置に固定するためのホース固定具が開発されるとともに、異なるホース口径にも対応できるホース固定具が開発されている（特許文献１）【０００５】  しかしながら、当該先行技術は、上下に調節可能な受け材と押さえ材との間にホース（チューブ）を挿入し固定する必要があり、ホース（チューブ）を直接地面などの軟性物上に配置する場合などは受け材が邪魔になり、ホース口径を調節することができなかった。
【先行技術文献】
【特許文献】
【０００６】
【特許文献１】実用新案登録第３１７６６７８号
【考案の概要】
【考案が解決しようとする課題】
【０００７】  本考案は、このような問題点に着目してなされたもので、チューブを地面などの軟性物上に直接配置する場合においても、様々な口径のチューブを確実に固定することができるチューブ固定具を提供することを目的とする。
【課題を解決するための手段】
【０００８】  上記のような点を鑑み創作された本考案のチューブ固定具の第一の特徴は、
地面等の軟性物上に置かれたホース等のチューブを固定するチューブ固定具であって、
前記チューブ固定具は、把持部及び２つの端部を有する保持部とからなり、
前記保持部の各端部で前記チューブを覆うように、各端部を前記軟性物上に挿入し前記チューブを固定することである。【０００９】  本考案のチューブ固定具の第二の特徴は、前記保持部が、各端部から延出した平行な２つの挿入部と、前記各挿入部から延出する２つのアーチ部と、前記各アーチ部が重なり合って形成される突部と、を有することである。【００１０】  本考案のチューブ固定具の第三の特徴は、前記把持部が前記突部から延出するように形成されることである。【００１１】  本考案のチューブ固定具の第四の特徴は、前記把持部が環状になっていることである。【００１２】  本考案のチューブ固定具の第五の特徴は、前記保持部を、可塑的に変形可能としたことである。
【考案の効果】
【００１３】  本考案のチューブ固定具の第一の特徴により、保持部が２つの端部を有することで、チューブを各端部で覆うようにして軟性物上に固定することができるとともに、シンプルな設計とすることができる。また、把持部を有することにより、ずれることなく確実に地面に向かって各端部を差し込むことができる。【００１４】  本考案のチューブ固定具の第二の特徴により、挿入部が平行であるため、チューブ固定具を軟性物上に挿入する際、あるいは撤去の際に、水平土圧の影響を最小限にすることができる。また、アーチ部が形成されているため、給水状態のチューブ円弧がアーチ部に沿うように安定して固定され、円形状態を維持しながら散水することができる。また、アーチ部が重なり合って形成される突部を有することで、各種チューブ径においても、チューブが各アーチ部と軟性物との３点で接するようにすることが可能となり、より安定したチューブ固定具とすることができる。【００１５】  本考案のチューブ固定具の第三の特徴により、把持部と保持部が一体に形成されているため製造工程及び製造コストを減らすことができる。【００１６】  本考案のチューブ固定具の第四の特徴により、把持部が環状であるため、把持部に指を潜らせて容易に保持部を軟性物に差し込むことができる。また、環状内に電飾の配線等をすることで配線固定部として使用することができる。また、チューブ固定具を地面から取り外す際には、配線等を上方へ上げることで、軟性物から容易に保持部を引き出し、チューブ固定具を回収することができる。【００１７】  本考案のチューブ固定具の第五の特徴により、一般的なチューブ径だけでなく、例えば特大サイズのチューブであっても、保持部を可塑的に変形させ、チューブを各端部で覆うようにして軟性物上に固定することができる。
【図面の簡単な説明】
【００１８】
【図１】チューブに給水した状態のチューブ固定具の正面図である。
【図２】チューブに給水していない状態のチューブ固定具の正面図である。
【００１９】
【考案を実施するための形態】
【００２０】  本考案の一実施例を示すため、チューブ固定具をホース固定具とした例について説明するが、具体的な構成は本実施例に限られるものではなく、本考案の要旨を逸脱しない範囲における変更や追加があっても本考案に含まれる。
【実施例】
【００２１】  図１及び図２を用いて、本考案のホース固定具及びその使用方法を説明する。ホース固定具１は、把持部２及び２つの端部５，５’を有する保持部３とからなる。把持部２を持ち各端部５，５’でホース９を覆うように、各端部５，５’を地面８上に挿入しホース９を固定する。このとき、各端部５，５’の挿入深度は、図１のように給水状態のホース９断面が円形となったときに、ホース固定具１の２点のアーチ部６，６’及び地面８に接することを考慮し、各種ホース口径に応じて適度な深さまで挿入する。【００２２】  このように、ホース固定具１は各端部５，５’を有することで、ホース９を各端部５，５’で覆うようにして地面８上に固定することができるため、ホース９の様々な口径サイズに対応し、各端部５，５’を地面８下の所定の位置まで差し込んで固定することが可能となる。また、把持部２をもって地面８に向って差し込むことができるため、作業がし易い。なお、例えば地面８の上にビニールシートなどが敷かれた状態であっても、ビニールシートが各端部５，５’の差し込みを妨げない軟性物である限り、軟性物上に置かれたホース９を固定するホース固定具として本考案の効果を得ることができる。【００２３】  更に、給水状態のホース９がアーチ部６，６’に接するようにすることで、給水状態のホース９断面は散水力が最大となった時に円形状となり、このときにホース９がアーチ部６，６’に円形状のまま接するようにすることで、効率よく散水することができる。また、例えば突部７が形成されずに地面８と平行な形状をもつコ字状のホース固定具１であった場合は、ホース口径によっては給水状態において断面が楕円形状となるホース９にて散水することになるため、効率よく散水することが困難となる。【００２４】  次に、ホース固定具１を地面８から撤去する方法について説明する。ホース固定具１を撤去する際には、把持部２をもって、あるいは把持部２の環状内部に指を潜らせて上方へ引き抜けば、各挿入部５，５’同士が平行であるため、水平土圧の影響を受けることなく容易に引き抜くことができる。また、把持部２の環状内に配線等を潜らせた場合は、配線等を上方へ上げることで、地面８から容易に保持部３を引き出し、ホース固定具１を回収することができる。
【産業上の利用可能性】
【００２５】  本考案は、口径の異なるチューブを固定する際に利用可能である。
【符号の説明】
【００２６】１…ホース固定具（チューブ固定具）    ２…把持部    ３…保持部
４，４’…挿入部    ５，５’…端部    ６，６’…アーチ部
７…突部    ８…地面等（軟性物）    ９…ホース（チューブ）
【図１】
0003221997.tif 000003
【図２】
0003221997.tif 000004